(57)【特許請求の範囲】
【請求項１】
筆記具の全長のほぼ中間に重心を設定し、かつ、中間部を両端部に比べて細径に構成するとともに、中間部に比べて両端部を重く構成し、筆記具の中間部を指で操作して回転する場合に容易に回転できるように構成したことを特徴とする筆記具。
【請求項２】
軸筒と、軸筒の前部に設けた口金と、口金および軸筒内に設けられ、チャック、締リングおよび芯タンク等からなる機構部によりノック式シャープペンシルを構成し、金属製で作製した口金の先端肉厚を０．３ｍｍ以上に構成したことを特徴とする請求項１記載の筆記具。
【請求項３】
筆記具を構成する軸筒の後部に切欠部を形成し、該切欠部にクリップの挟持片を配置することにより軸筒からのクリップの突出を少なくしたことを特徴とする請求項１または２記載の筆記具。
【発明の詳細な説明】
【０００１】
【産業上の利用分野】
本発明は、筆記具の中間部を指で操作して回す時に、容易に回すことが可能な筆記具に関する。
【０００２】
【従来の技術】
近ごろ、筆記具の中間部を指で操作してプロペラのように筆記具を回転させることが大流行している。特に予備校生の間では、筆記具を指で回転させると集中力が増すという考えから、多数の人が授業中に筆記具を回している。
しかし、従来の筆記具においては、指で操作し易い構成にし、容易に回転できることを目的とした筆記具は見当たらなかった。
【０００３】
【発明が解決しようとする課題】
従って、指で操作して筆記具を回そうとした場合、大変熟練が必要であるとともに、連続して回転させることは極めて困難であった。
本発明は、上記課題を解消し簡単にかつだれでも回すことが可能な筆記具を提供することを目的とするものである。
【０００４】
【課題を解決するための手段】
上記目的を達成するために本発明は、筆記具の全長のほぼ中間に重心を設定し、かつ、中間部を両端部に比べて細径に構成するとともに、中間部に比べて両端部を重く構成し、筆記具の中間部を指で操作して回転する場合に容易に回転できるように構成したものである。
【０００５】
【実施例】
本発明の実施例を図１および図２により説明する。この実施例においては、筆記具をノック式シャープペンシルで説明する。まず、中間部１Ａが両端部より細径に形成された軸筒１の先端部に口金２を螺合する。該口金２は黄銅をクロームメッキにより表面処理して作製され、かなりの重量を有している。口金２および軸筒１内には、従来のノック式シャープペンシルと同様のチャック３、締リング４および芯タンク５等からなる機構部が内蔵される。更に、前記軸筒１の後端部に頭冠６が接着あるいは圧入等により固着される。該頭冠６は黄銅をクロームメッキにより表面処理して作製され、口金２と同様にかなりの重量を有している。従って、このノック式シャープペンシルは中間部に比べて両端部がかなり重く構成されている。尚、ノック式シャープペンシルの重心は全長のほぼ中間に設定され、軸筒１の細径に形成された中間部１Ａと一致している。前記軸筒１の後端と頭冠６によりクリップ７のリング状の固定部７Ａが挾持される。軸筒１の後端部には切欠部１Ｂが形成されるとともに、その切欠部１Ｂにわずか隆起した突部１Ｃが形成される。この軸筒１の突部１Ｃに前記クリップ７の挾持片７Ｂが圧接され、クリップ７が軸筒１の表面より極力突出しないように構成される。尚、この実施例のノック式シャープペンシルにおいては、回転中に誤って落としても故障したり芯タンク５内に収納された芯８が折れないように数々の工夫が施されている。まず、口金２の先端２Ａは、肉厚が０．３ｍｍ以上とかなり厚く形成され、しかも略円錐形に形成されて、落下して床に当接しても口金２の先端２Ａが曲がったり破損したりしにくい形状となっている。また、チャック３の後部に圧入され芯タンク５と連結する連結具９、消しゴム１０を保持し芯タンク５と連結される消しゴム支え１１は、それぞれ軸筒１の内孔１Ｄと頭冠６の内孔６Ａに摺動可能な範囲ですき間を少なくしてガイドされ、落下時の衝撃が極力少なくなるように設定されている。更に、パイプ状の芯タンク５は、ポリプロピレン、ポリエチレンあるいはエラストマー等の軟質合成樹脂で形成され、やはり落下時の衝撃を吸収する。従って、芯タンク５に収納されている芯８の折損は防止される。
【０００６】
上記実施例のノック式シャープペンシルを回転するには、重心部分、つまり軸筒１の中間部１Ａを複数の指で保持して回転させる。この時、軸筒１の中間部１Ａが細径になっているので大変回転させやすい。その上、ノック式シャープペンシルの両端部を中心部に比べて重く構成することにより、回転させた時に遠心力が増して高速で回転させることができる。しかもクリップ７が突出していないので回転時にクリップ７が指に当たる恐れもなく、大変操作し易い。
また、万が一ノック式シャープペンシルを床に落としても、口金２の先端２Ａが強化されているので破損する心配はない。その上、芯タンク５内の芯８も衝撃を吸収する構造となっているので折損する恐れがない。
【０００７】
図３および図４は本発明の他の実施例を示したものである。図３は、口金１０２内に摺動可能な芯ガイド１２を内蔵し、該芯ガイド１２を口金１０２内に没入させ芯ガイド１２を保護した状態を示すものである。図４は、芯ガイド１２を口金１０２より突出した筆記状態を示すものである。
【０００８】
この実施例においては、芯ガイド１２が口金１０２内に没入するので、ノック式シャープペンシルを床に落としても、芯ガイド１２の先端が破損する恐れはない。
【０００９】
軸筒より突出しないで容易にクリップを服のポケット等に挾持する構成としては、図５および図６に示した実施例が考えられる。クリップ１０７の固定部１０７Ａを支点としてクリップ１０７を撓み可能に構成し、かつクリップ１０７の後端部にわずか隆起した押圧部１０７Ｃを形成する。また、頭冠１０６に凹部１０６Ｂを形成し、該凹部１０６Ｂが前記クリップ１０７の押圧部１０７Ｃ内側に位置し、クリップ１０７の押圧部１０７Ｃ内側と頭冠１０６の凹部１０６Ｂとの間に適宜のすき間を構成する。従って、図７に示したように押圧部１０７Ｃを押すことにより固定部１０７Ａを支点として挾持片１０７Ｂが開き、容易に服のポケット等に挾持できる。
【００１０】
尚、本発明は上記した実施例に限定されるものではなく、軸筒内に内蔵される機構部は、連結具、芯タンクおよび消しゴム支えを一部品で構成しても何ら問題は生じない。更に、ノック式シャープペンシルの機構部は従来使われている種々のものが利用可能である。
【００１１】
また、予備校における授業中に集中力を増すために回す筆記具としては、使用頻度を考えるとノック式シャープペンシルが一番好ましいが、本発明の筆記具はノック式シャープペンシルに限定されるものではなく、ボールペン、サインペン等種々の筆記具が考えられる。
【００１２】
【発明の効果】
以上説明したように、本発明の筆記具は全長のほぼ中間に重心を設定し、かつ、中間部を両端部に比べて細径に構成するとともに、中間部に比べて両端部を重く構成し、筆記具の中間部を指で操作して容易に回転できる構成にしたことを特長とする。
このことにより筆記具を、全長のほぼ中間を指で操作して容易に回転させることが可能となるとともに、連続してかつ素早く回転することが可能となる効果が奏せられるものである。
【図面の簡単な説明】
【図１】本発明の実施例を示す断面図である。
【図２】図１のＡ−Ａ線を示す断面図である。
【図３】本発明の他の実施例を示す主要部断面図である。
【図４】図３の実施例の芯ガイドを突出した状態を示す主要部断面図である。
【図５】本発明の更に他の実施例を示す主要部断面図である。
【図６】図５のＢ−Ｂ線を示す断面図である。
【図７】図５の実施例のクリップを開いた状態を示す主要部断面図である。
【符号の説明】
１  軸筒
１Ａ  軸筒１の中間部
１Ｂ  軸筒１の切欠部
２  口金
２Ａ  口金２の先端
３  チャック
４  締リング
５  芯タンク
７  クリップ
７Ｂ  クリップ７の挾持片
１０２  口金
１０７  軸筒
１０７Ｂ  クリップ１０７の挾持片
【図１】
0003734535.tif 000002
【図２】
0003734535.tif 000003
【図３】
0003734535.tif 000004
【図４】
0003734535.tif 000005
【図５】
0003734535.tif 000006
【図６】
0003734535.tif 000007
【図７】
0003734535.tif 000008